(57)【要約】【課題】通信手段を介して接続される外部の携帯電話機に対応する電話帳データについての利便性を向上する。【解決手段】制御部４は、ＢＴインターフェース部５を介して、複数のＢＴ対応携帯電話機１０との間でＨＦＰ接続すると、複数のＢＴ対応携帯電話機１０のうちのいずれかを用いたハンズフリー通話を実行することができる。制御部４は、複数のＢＴ対応携帯電話機１０にそれぞれ記憶されている電話帳データを取得し、それら取得した複数の電話帳データを統合（マージ）した統合電話帳データをＢＴ電話機用電話帳データ記憶領域２２に記憶する。【選択図】図１
2013243532.tif 000002
【特許請求の範囲】
【請求項１】
携帯電話機との間で通信を行う通信手段と、
前記通信手段を介して前記携帯電話機を用いたハンズフリー通話を実行するハンズフリー手段と、
前記携帯電話機を用いたハンズフリー通話の際に利用可能な電話帳データが記憶される電話帳記憶手段と、
前記通信手段を介して前記携帯電話機に記憶されている電話帳データを取得し、その取得した電話帳データを前記電話帳記憶手段に記憶する電話帳管理手段と、
を備え、
前記通信手段を介して複数の前記携帯電話機との間で通信が行われると、
前記ハンズフリー手段は、複数の前記携帯電話機のうちのいずれかを用いたハンズフリー通話を実行し、
前記電話帳管理手段は、複数の前記携帯電話機にそれぞれ記憶されている電話帳データを取得し、それら取得した複数の電話帳データを統合した統合電話帳データを前記電話帳記憶手段に記憶することを特徴とするハンズフリー装置。
【発明の詳細な説明】
【技術分野】
【０００１】
本発明は、通信手段を介して接続された携帯電話機を用いたハンズフリー通話を実現するものであり、その携帯電話機に対応する電話帳データを記憶する電話帳機能を備えたハンズフリー装置に関する。
【背景技術】
【０００２】
従来、外部の携帯電話機との間において近距離無線通信などを行うことにより携帯電話機との接続を確立してハンズフリー通話を実現する機能を備えたハンズフリー装置がある。このような構成のハンズフリー装置が取り付けられた車両に対し、ユーザが携帯電話機を所持した状態で搭乗すると、その携帯電話機を用いたハンズフリー通話が可能になる。また、上記構成のハンズフリー装置には、接続される携帯電話機ごと、つまり使用する電話機ごとに互いに別々の電話帳データを記憶する電話帳機能が設けられている。
【０００３】
そのような電話帳機能としては、接続された携帯電話機の電話帳データをハンズフリー装置に転送し、ハンズフリー装置側に記憶させるというものがある（例えば、特許文献１参照）。この方法によれば、ユーザは、携帯電話機を用いたハンズフリー通話を行う際、その携帯電話機に保存されていた電話帳データと同一の電話帳データを利用することができる。
【先行技術文献】
【特許文献】
【０００４】
【特許文献１】特開２００８−９８９８１号公報
【発明の概要】
【発明が解決しようとする課題】
【０００５】
上記構成のハンズフリー装置は、使用する携帯電話機ごとに互いに別々の電話帳データが生成されるため、ユーザが複数台の携帯電話機を所有している場合には次のような問題が生じる。すなわち、同一ユーザが所有する複数の携帯電話機がハンズフリー装置に接続されたとしても、複数の電話帳データが別々に管理されるため、それらの電話帳データを同時に利用することができない。そのため、ユーザは、複数の電話帳データを逐次切り替える操作を行いながら利用する必要がある。このように、上記構成のハンズフリー装置は、利便性の面において改善の余地があった。
【０００６】
本発明は上記事情に鑑みてなされたものであり、その目的は、通信手段を介して接続される携帯電話機に対応する電話帳データについての利便性を向上することができるハンズフリー装置を提供することにある。
【課題を解決するための手段】
【０００７】
請求項１に記載した手段によれば、通信手段、ハンズフリー手段、電話帳記憶手段および電話帳管理手段を備えている。通信手段は、携帯電話機との間で通信接続を行う。ハンズフリー手段は、通信手段を介して携帯電話機を用いたハンズフリー通話を実行する。電話帳記憶手段には、携帯電話機を用いたハンズフリー通話の際に利用可能な電話帳データが記憶される。電話帳管理手段は、通信手段を介して携帯電話機に記憶されている電話帳データを取得し、その取得した電話帳データを電話帳記憶手段に記憶する。このような構成によれば、電話帳記憶手段には、携帯電話機に保存されている電話帳データと同一のデータが記憶される。そのため、携帯電話機を用いたハンズフリー通話の際、電話帳記憶手段から電話帳データが読み出されることにより、ユーザは、所持している携帯電話機に記憶されているものと同一の電話帳データを利用することが可能となる。
【０００８】
また、通信手段を介して複数の携帯電話機との間で同時に通信接続が行われると、ハンズフリー手段は、複数の携帯電話機のうちのいずれかを用いたハンズフリー通話を実行する。そして、電話帳管理手段は、複数の携帯電話機にそれぞれ記憶されている電話帳データを取得し、それら取得した複数の電話帳データを統合（マージ）した統合電話帳データを電話帳記憶手段に記憶する。このようにすれば、電話帳記憶手段には、複数の携帯電話機に保存されている各電話帳データに含まれている電話番号などのデータが網羅された統合電話帳データが記憶される。そのため、例えば同一のユーザが所有する複数の携帯電話機のうち、いずれかを用いたハンズフリー通話が行われる際、電話帳記憶手段から統合電話帳データが読み出されることにより、ユーザは、各電話帳データを切り替える操作を行うことなく、各電話帳データの全てを同時に利用することが可能となる。このように、本手段によれば、通信手段を介して接続される外部の携帯電話機に対応する電話帳データについての利便性を向上することができる。
【０００９】
なお、１台の携帯電話機が通信接続されている場合には、ユーザは、その通信接続されている携帯電話機の電話帳を使用するが、通信接続されていない携帯電話機の電話帳を使用する可能性は低い。一方、複数台の携帯電話機が同時に通信接続されている場合には、ユーザは、それら通信接続されている複数台の携帯電話機の電話帳を使用する可能性が高い。よって、特に、複数台の携帯電話機が同時に通信接続される場合には、複数の電話帳データを統合することにより得られる効果が高い。
【図面の簡単な説明】
【００１０】
【図１】本発明の一実施形態を示すものであり、車載機の構成を示すブロック図
【図２】電話帳データ記憶領域の構成を模式的に示す図
【図３】電話帳データの管理に関連する処理内容を示すフローチャート
【図４】Ｓｉｎｇｌｅ−ＨＦＰにおけるデバイス接続画面の表示例を示す図
【図５】Ｓｉｎｇｌｅ−ＨＦＰにおける電話帳利用画面の表示例を示す図
【図６】Ｄｕａｌ−ＨＦＰの第１ケースにおける図４相当図
【図７】Ｄｕａｌ−ＨＦＰの第１ケースにおける図５相当図
【図８】Ｄｕａｌ−ＨＦＰの第２ケースにおける図４相当図
【図９】Ｄｕａｌ−ＨＦＰの第２ケースにおける図５相当図
【発明を実施するための形態】
【００１１】
以下、本発明の一実施形態について図面を参照しながら説明する。
図１は、ハンズフリー機能を備えた車載機の概略構成を示すブロック図である。車載機１は、例えば自動車などの車両に搭載されるものであり、ハンズフリー装置２およびディスプレイ装置３を備えている。ハンズフリー装置２は、制御部４、Ｂｌｕｅｔｏｏｔｈ（登録商標、以下ＢＴと称す）インターフェース部５、通話音声処理部６、記憶部７、表示制御部８およびタッチ操作入力部９を備えている。
【００１２】
制御部４は、ＣＰＵ、ＲＯＭ、ＲＡＭなどを備えたマイクロコンピュータを主体に構成されており、ハンズフリー装置２の通信動作や電話帳データ管理動作などの動作全般を制御する。ＢＴインターフェース部５は、ＢＴの通信規格で標準化されているハンズフリー通信を行うためのＨＦＰ（Hands Free Profile）、ＢＴ通信規格で標準化されている電話帳データの転送を行うためのＰＢＡＰ（Phone Book Access Profile）およびＯＰＰ（Object Push Profile）などに対応している（機能を有している）。なお、これらプロファイルは、機能ごとに定義された通信プロトコルを意味している。
【００１３】
また、ＨＦＰプロファイルは、複数存在し、それぞれが独立して複数のＢＴ対応携帯電話機１０との通信接続が可能となっている。これにより、ハンズフリー装置２は、１つのＢＴ対応携帯電話機１０との間でＨＦＰを接続すること（Ｓｉｎｇｌｅ−ＨＦＰと称する）だけでなく、複数の（２つ以上の）ＢＴ対応携帯電話機１０との間で同時にＨＦＰを接続すること（Ｄｕａｌ−ＨＦＰと称する）が可能である。Ｓｉｎｇｌｅ−ＨＦＰの場合、１つのＢＴ対応携帯電話機１０を用いたハンズフリー通話を行うことができる。Ｄｕａｌ−ＨＦＰの場合、ＨＦＰを接続中にある複数のＢＴ対応携帯電話機１０のうち、例えばユーザにより選択されるいずれか１つを用いたハンズフリー通話を行うことができる。また、ＨＦＰを複数同時接続することにより、複数の携帯電話機の状態等を管理することができる。なお、通話は、排他処理とすることが一般的である。
【００１４】
通話音声処理部６には、マイク１１およびオーディオアンプ１２が接続されている。マイク１１は、車室内にあって例えばステアリングホイールの近傍など、ユーザが発した音声を集音し易い部位に配置されている。オーディオアンプ１２は、ハンズフリー装置２の外部に配置されている。通話音声処理部６は、車室内に持ち込まれたＢＴ対応携帯電話機１０を用いたハンズフリー通信（通話）を行う場合に、ユーザが発した音声をマイク１１から送話音声として入力すると、その入力した送話音声を音声処理してＢＴインターフェース部５に出力する。また、通話音声処理部６は、ＢＴインターフェース部５から受話音声を入力すると、その入力した受話音声をオーディオアンプ１２に出力する。オーディオアンプ１２は、通話音声処理部６から受話音声を入力すると、その入力した受話音声を増幅してスピーカ１３、１４から出力する。スピーカ１３、１４は、例えば、運転席ドア、助手席ドアにそれぞれ配置されている。
【００１５】
記憶部７には、電話帳データ、発信履歴データ、着信履歴データ、不在着信履歴データなどを記憶可能な記憶領域が設けられている。電話帳データは、電話番号と登録名（氏名など）との対応を表すデータである。なお、電話帳データには、さらに他の情報（メールアドレス、生年月日など）を対応付けてもよい。発信履歴データは、ハンズフリー装置２との間でＨＦＰを接続中にあるＢＴ対応携帯電話機１０からの発信に係る発信時刻と発信電話番号との対応を表すデータである。着信履歴データは、ハンズフリー装置２との間でＨＦＰを接続中にあるＢＴ対応携帯電話機１０における応答した着信に係る着信時刻と着信電話番号との対応を表すデータである。不在着信履歴データは、ハンズフリー装置２との間でＨＦＰを接続中にあるＢＴ対応携帯電話機１０における応答しなかった着信に係る着信時刻と着信電話番号との対応を表すデータである。
【００１６】
ディスプレイ装置３は、表示画面を表示する表示装置１５と、表示画面上にタッチスイッチを形成するタッチ操作入力装置１６とを備えている。ハンズフリー装置２の表示制御部８は、制御部４から表示指令信号を入力すると、その入力した表示指令信号に基づいてディスプレイ装置３における表示装置１５の表示動作を制御する。ハンズフリー装置２のタッチ操作入力部９は、ユーザが表示画面上に形成されているタッチスイッチを操作したことに応じてタッチ操作入力装置１６から操作検知信号を入力すると、その操作検知信号を制御部４に出力する。ハンズフリー装置２の制御部４は、タッチ操作入力部９から操作検知信号を入力すると、その操作検知信号を解析して所定の処理を実行する。
【００１７】
ＢＴ対応携帯電話機１０（以下、ＢＴ電話機１０と称す）は、詳細は図示しないが、自機の動作全般を制御する制御部、通信網１７を介した音声通話を行う通話部、ＢＴ通信を行うＢＴインターフェース部、ユーザが操作する各種キーが配列されてなるキー入力部、記憶部、各種表示画面を表示する表示部、ユーザが発した音声を入力するマイク、通話相手先から受信した音声を受話音声として出力するスピーカなどを備えている。上記記憶部には、電話帳データ、発信履歴データ、着信履歴データ、不在着信履歴データなどを記憶（保存）可能な記憶領域が設けられている。通信網１７は、携帯電話基地局や基地局制御装置等の周知の携帯通話サービスを提供する設備を含むものである。
【００１８】
ＢＴ電話機１０（携帯電話機に相当）のＢＴインターフェース部は、ハンズフリー装置２との間でＢＴ通信を行う機能を有している。ＢＴインターフェース部は、ＨＦＰに対応している。また、ＢＴインターフェース部は、ＰＢＡＰおよびＯＰＰの少なくとも一方に対応している。つまり、ＢＴ電話機１０は、ハンズフリー装置２に対して電話帳データを転送する機能を有している。
【００１９】
このように、本実施形態では、制御部４および通話音声処理部６により、外部のＢＴ電話機１０を用いたハンズフリー通話を実現するハンズフリー手段１８が構成されている。また、ＢＴインターフェース部５は、外部のＢＴ電話機１０との間で通信を行う通信手段に相当する。
【００２０】
図２は、記憶部７における電話帳データを記憶するための電話帳データ記憶領域の構成を模式的に示している。図２に示すように、電話帳データ記憶領域２１には、接続されるＢＴ電話機１０のそれぞれに対応する電話帳データを記憶（保存）可能なＢＴ電話機用電話帳データ記憶領域２２（電話帳記憶手段に相当）が確保されている。ＢＴ電話機用電話帳データ記憶領域２２は、ハンズフリー通話を行う対象として登録されたＢＴ電話機１０が複数存在する場合、それら複数のＢＴ電話機１０のそれぞれに対応した複数の記憶領域が設けられる。ＢＴ電話機用電話帳データ記憶領域２２に記憶される電話帳データは、対応するＢＴ電話機１０を使用する際に利用可能となる。ＢＴ電話機用電話帳データ記憶領域２２に対する電話帳データの記憶（書き込み）は、制御部４により実行される。その記憶方法としては、ＢＴ電話機１０からの電話帳データの転送（ＰＢＡＰまたはＯＰＰ）による方法と、ユーザが所定の操作を行うことにより作成または編集された電話帳データを記憶する方法とがある。
【００２１】
また、Ｄｕａｌ−ＨＦＰとして複数台（図２の場合、２台）のＢＴ電話機１０が接続される場合、ＢＴ電話機用電話帳データ記憶領域２２には、それら２台のＢＴ電話機１０のそれぞれに対応する電話帳データが統合（マージ）された統合電話帳データが記憶される。ＢＴ電話機用電話帳データ記憶領域２２に記憶される統合電話帳データは、対応する複数のＢＴ電話機１０のうち、いずれを使用する際にも利用可能となる。
【００２２】
このように、本実施形態において、制御部４は、ＢＴインターフェース部５を介して外部のＢＴ電話機１０に記憶されている電話帳データを取得し、その電話帳データをＢＴ電話機用電話帳データ記憶領域２２に記憶する電話帳管理手段に相当する。ユーザは、このようにして記憶された電話帳データを利用することにより、電話番号を直接入力することなく登録名を選択することで通話相手先への発信動作を簡単且つ迅速に行うことが可能である。
【００２３】
なお、Ｓｉｎｇｌｅ−ＨＦＰとして１台のＢＴ電話機１０が接続されている場合には、ユーザは、その接続されたＢＴ電話機１０電話帳データを使用するが、接続されていないＢＴ電話機１０の電話帳データについては使用する可能性が低い。一方、Ｄｕａｌ−ＨＦＰとして複数のＢＴ電話機１０が同時に接続される場合には、ユーザは、それら接続されている複数のＢＴ電話機１０の電話帳データを使用する可能性が高い。よって、特に、Ｄｕａｌ−ＨＦＰとして複数のＢＴ電話機１０が同時に接続される場合には、複数の電話帳データをマージすることにより得られる効果が高い。
【００２４】
次に、上記構成における電話帳機能（電話帳データの管理方法）について図３〜図９も参照して説明する。
図３は、電話帳データの管理に関連する処理内容を示すフローチャートである。なお、図３に示す各処理は、制御部４を主体として実行される。図４〜図９は、電話帳データの管理に関連する画面の表示例を示すものであり、ディスプレイ装置３の表示装置１５により表示される表示画面およびタッチ操作入力装置１６により形成されるタッチスイッチを示している。なお、図４、図６および図８は、ＨＦＰ接続時における画面表示（デバイス接続画面）の遷移を示している。また、図５、図７および図９は、電話帳利用時における画面表示の遷移を示している。
【００２５】
さて、ユーザがＢＴ電話機１０を所持した状態で車両に搭乗すると、ハンズフリー装置２とＢＴ電話機１０との接続が確立される。その後、ユーザにより所定の操作が行われることにより、ハンズフリー装置２においてハンズフリー通信（通話）を行う対象として、ユーザが所持したＢＴ電話機１０が登録される。図３に示す各処理は、そのような登録が完了した後に実行されるものである。なお、以下の説明では、例えば６台の電話機Ａ〜Ｅが登録されているものとする。
【００２６】
＜Ｓｉｎｇｌｅ−ＨＦＰの場合＞
１台のＢＴ電話機１０との間でＨＦＰを接続してハンズフリー通話の対象（使用対象）とする場合（Ｓｉｎｇｌｅ−ＨＦＰ）における電話帳機能は以下のとおりである。まず、ユーザにより所定の操作が行われることにより、予め登録された電話機Ａ〜Ｅの一覧表示画面が表示される（図４の（ａ）参照）。この場合、一覧表示画面には、タッチスイッチとして、６つの電話機Ａ〜Ｅのそれぞれを表す登録電話機表示部３１ａ〜３１ｅ、［ＯＫ］ボタン３２などが表示される。登録電話機表示部３１ａ〜３１ｅは、ＨＦＰの接続を行う電話機を選択する際に操作されるものであり、［ＯＫ］ボタン３２は、ＨＦＰの接続を実行する際に操作されるものである。なお、登録電話機表示部３１ａ〜３１ｃは、同時に複数選択すること（一括選択）が可能となっている。
【００２７】
一覧表示画面が表示された状態において、登録電話機表示部３１ａ〜３１ｅのいずれかがタッチ（選択）された上で［ＯＫ］ボタン３２がタッチされると、そのタッチされた登録電話機表示部３１ａ〜３１ｅに対応した電話機との間でＨＦＰの接続が開始され、接続中である旨を示す画面が表示される。この場合、図４（ａ）に示すように、登録電話機表示部３１ａがタッチされた上で［ＯＫ］ボタン３２がタッチされている。そのため、電話機Ａとの間でＨＦＰの接続が開始され、電話機Ａに接続中である旨を示す画面が表示される（図４（ｂ）参照）。その後、電話機Ａとの間でＨＦＰの接続が完了すると、接続が完了した旨を示す画面が表示される（図４（ｃ）参照）。
【００２８】
また、このとき、図３のフローチャートに従い次のような判断が行われる。すなわち、登録電話機表示部３１ａ〜３１ｅのいずれかがタッチされた上で［ＯＫ］ボタン３２がタッチされたため、ステップＳ１で「ＹＥＳ」と判断されてステップＳ２に進む。また、この場合、選択された電話機が１つ（電話機Ａ）であるため、ステップＳ２で「ＮＯ」と判断されてステップＳ３に進む。さらに、この場合、電話機Ａとは別の電話機（Ｂ〜Ｅ）が既に選択（接続）されている状態ではないため、ステップＳ３で「ＮＯ」と判断されてステップＳ４に進む。
【００２９】
上述したようにしてＨＦＰの接続が完了した後、ユーザにより所定の操作が行われることにより、ハンズフリー機能に関するトップ画面が表示される（図５（ａ）参照）。トップ画面には、電話機名表示欄４１、発信先表示欄４２などが表示されるとともに、タッチスイッチとして、キー入力部４３、［電話帳］ボタン４４、［接続］ボタン４５、［発信］ボタン４６、［戻る］ボタン４７などが設けられている。
【００３０】
電話機名表示欄４１には、現在使用対象としているＢＴ電話機１０を表す文字が表示される。この場合、ＨＦＰ接続されたＢＴ電話機１０である電話機Ａを表す文字「電話機Ａ」が表示される。発信先表示欄４２には、発信先の電話番号が表示される。キー入力部４３は、各種キーが配列されてなるものであり、発信先の電話番号を入力する際や、電話帳データを手入力（マニュアル）で作成する際などに用いられる。［電話帳］ボタン４４は、電話帳機能を利用するためのものである。［接続］ボタン４５は、使用対象とする電話機の切り替えを行うためのものである。［発信］ボタン４６は、発信先表示欄４２に表示されている電話番号への発信を開始するためのものである。［戻る］ボタン４７は、表示画面を一つ前の画面に戻すためのものである。
【００３１】
［電話帳］ボタン４４がタッチされると、ステップＳ４で「ＹＥＳ」と判断されてステップＳ５に進む。ステップＳ５に進むと、ＢＴ電話機１０（電話機Ａ）に保存されている電話帳データをハンズフリー装置２に転送してもよいか否かをユーザに確認するメッセージが表示される（図５（ｂ）参照）。図５（ｂ）は、接続されたＢＴ電話機１０（電話機Ａ）に対応するＢＴ電話機用電話帳データ記憶領域２２に電話帳データが存在しない（電話帳データが空である）場合におけるメッセージの表示例である。なお、電話帳データが空ではない場合には、電話帳データの更新（上書き、追加など）をしてもよいか否かをユーザに確認するメッセージが表示される（図示略）。
【００３２】
ここで、［いいえ］が選択された場合、電話帳データが転送されることなく処理が終了する。一方、［はい］が選択された場合、ＢＴ電話機１０（電話機Ａ）からＢＴ電話機用電話帳データ記憶領域２２に電話帳データが転送される。その際、電話帳データの転送中である旨を示す画面表示がなされる（図５（ｃ）参照）。電話帳データの転送が終了すると、ＢＴ電話機用電話帳データ記憶領域２２に記憶されている電話帳データの一覧が表示される（図５（ｄ）参照）。電話帳データの一覧には、登録名が５０音順に表示されている。ユーザは、電話機Ａを使用対象とする際、上記一覧から所望の登録名をタッチ操作により選択するだけで、その登録名に対応付けられた電話番号への発信動作を行い得るようになる。ステップＳ５の実行後はステップＳ１に戻る。
【００３３】
＜Ｄｕａｌ−ＨＦＰの場合＞
複数台のＢＴ電話機１０との間でＨＦＰを接続してハンズフリー通話の対象（使用対象）とする場合（Ｄｕａｌ−ＨＦＰ）における電話帳機能は以下のとおりである。Ｄｕａｌ−ＨＦＰとなるケースとしては、次のような２つのケースが考えられる。
【００３４】
（１）第１のケース
第１のケースは、デバイス接続画面（電話機選択画面）にて１つの電話機が選択され、その１台の電話機との間でＨＦＰが接続された後、再びデバイス接続画面にて別の電話機が選択され、その別の電話機との間でＨＦＰが接続される場合である。以下、第１のケースの詳細について説明する。なお、ここでは、既に１つのＢＴ電話機１０（電話機Ａ）との間でＨＦＰが接続されて電話帳データが転送されているものとする。
【００３５】
一覧表示画面が表示された状態において、登録電話機表示部３１ａ〜３１ｅのいずれかがタッチ（選択）された上で［ＯＫ］ボタン３２がタッチされると、そのタッチされた登録電話機表示部３１ａ〜３１ｅに対応した電話機との間でＨＦＰの接続が開始され、接続中である旨を示す画面が表示される。この場合、図６（ａ）に示すように、登録電話機表示部３１ｃがタッチされた上で［ＯＫ］ボタン３２がタッチされている。そのため、電話機Ｃとの間でＨＦＰの接続が開始され、電話機Ｃに接続中である旨を示す画面が表示される（図６（ｂ）参照）。その後、電話機Ｃとの間でＨＦＰの接続が完了すると、接続が完了した旨を示す画面が表示される（図６（ｃ）参照）。
【００３６】
また、このとき、図３のフローチャートに従い次のような判断が行われる。すなわち、登録電話機表示部３１ａ〜３１ｅのいずれかがタッチされた上で［ＯＫ］ボタン３２がタッチされたため、ステップＳ１で「ＹＥＳ」と判断されてステップＳ２に進む。また、この場合、選択された電話機が１つ（電話機Ｃ）であるため、ステップＳ２で「ＮＯ」と判断されてステップＳ３に進む。ただし、この場合、電話機Ｃとは別のＢＴ電話機１０（電話機Ａ）が既に選択（接続）されている状態であるため、ステップＳ３で「ＹＥＳ」と判断されてステップＳ６に進む。
【００３７】
その後、トップ画面において、［接続］ボタン４５をタッチすることにより、使用対象とする電話機の切り替えを行うことができる。なお、この場合、使用対象とする電話機を電話機Ｃにした場合に以下の動作が行われる。すなわち、図７（ａ）に示すように、トップ画面において、［電話帳］ボタン４４がタッチされると、ステップＳ６で「ＹＥＳ」と判断されてステップＳ７に進む。ステップＳ７に進むと、ＢＴ電話機１０（電話機Ｃ）に保存されている電話帳データをハンズフリー装置２に転送してもよいか否かをユーザに確認するメッセージが表示される（図７（ｂ）参照）。なお、上記確認メッセージについては図５（ｂ）に示したものと同様である。ここで、［いいえ］が選択された場合、電話帳データが転送されることなく処理が終了する。一方、［はい］が選択された場合、ＢＴ電話機１０（電話機Ｃ）からＢＴ電話機用電話帳データ記憶領域２２に電話帳データが転送される。その際、電話帳データの転送中である旨を示す画面表示がなされる（図７（ｃ）参照）。電話帳データの転送が終了すると、ステップＳ８に進む。
【００３８】
ステップＳ８では、ハンズフリー装置２に転送された電話機Ａの電話帳データと、電話機Ｃの電話帳データとが統合（マージ）される。電話帳データを統合する際、重複するデータ（電話番号および登録名が一致するもの）を１つにまとめる処理を行ってもよいし、その処理を行わなくてもよい。電話帳データの統合が完了すると、ＢＴ電話機用電話帳データ記憶領域２２に記憶された統合電話帳データの一覧が表示される（図７（ｄ）参照）。
【００３９】
（２）第２のケース
第２のケースは、デバイス接続画面（電話機選択画面）にて複数の電話機が一括して選択され、それら複数の電話機との間でＨＦＰが接続される場合である。以下、第２のケースの詳細について説明する。
【００４０】
一覧表示画面が表示された状態において、登録電話機表示部３１ａ〜３１ｅのいずれかがタッチ（選択）された上で［ＯＫ］ボタン３２がタッチされると、そのタッチされた登録電話機表示部３１ａ〜３１ｅに対応した電話機との間でＨＦＰの接続が開始され、接続中である旨を示す画面が表示される。この場合、図８（ａ）に示すように、登録電話機表示部３１ａおよび３１ｃがタッチされた上で［ＯＫ］ボタン３２がタッチされている。そのため、電話機ＡおよびＣとの間でＨＦＰの接続が開始され、電話機ＡおよびＣに接続中である旨を示す画面が表示される（図８（ｂ）参照）。その後、電話機ＡおよびＣとの間でＨＦＰの接続が完了すると、接続が完了した旨を示す画面が表示される（図８（ｃ）参照）。
【００４１】
また、このとき、図３のフローチャートに従い次のような判断が行われる。すなわち、登録電話機表示部３１ａ〜３１ｅのいずれかがタッチされた上で［ＯＫ］ボタン３２がタッチされたため、ステップＳ１で「ＹＥＳ」と判断されてステップＳ２に進む。また、この場合、選択された電話機が２つ（電話機ＡおよびＣ）であるため、ステップＳ２で「ＹＥＳ」と判断されてステップＳ６に進む。
【００４２】
その後、トップ画面において、［接続］ボタン４５をタッチすることにより、使用対象とする電話機の切り替えを行うことができる。なお、この場合、使用対象とする電話機を電話機Ａ、Ｃのいずれにした場合であっても、以下の動作が行われる。すなわち、図９（ａ）に示すように、トップ画面において、［電話帳］ボタン４４がタッチされると、ステップＳ６で「ＹＥＳ」と判断されてステップＳ７に進む。ステップＳ７に進むと、ＢＴ電話機１０（電話機ＡおよびＣ）に保存されている電話帳データをハンズフリー装置２に転送してもよいか否かをユーザに確認するメッセージが表示される（図９（ｂ）参照）。なお、上記確認メッセージについては図５（ｂ）に示したものと同様である。ここで、［いいえ］が選択された場合、電話帳データが転送されることなく処理が終了する。一方、［はい］が選択された場合、ＢＴ電話機１０（電話機ＡおよびＣ）からＢＴ電話機用電話帳データ記憶領域２２に電話帳データが転送される。その際、電話帳データの転送中である旨を示す画面表示がなされる（図９（ｃ）参照）。電話帳データの転送が終了すると、ステップＳ８に進む。
【００４３】
ステップＳ８では、ハンズフリー装置２に転送された電話機Ａの電話帳データと、電話機Ｃの電話帳データとが統合（マージ）される。電話帳データの統合が完了すると、ＢＴ電話機用電話帳データ記憶領域２２に記憶された統合電話帳データの一覧が表示される（図９（ｄ）参照）。
【００４４】
上記構成によれば、ユーザは、１台のＢＴ電話機１０との間でＨＦＰを接続してハンズフリー通話の対象とした場合（Ｓｉｎｇｌｅ−ＨＦＰ）、そのＢＴ電話機１０を用いたハンズフリー通話を行う際、そのＢＴ電話機１０に保存されている電話帳データと同一のデータを利用することができる。また、ユーザは、複数台のＢＴ電話機１０との間でＨＦＰを接続してハンズフリー通話の対象とした場合（Ｄｕａｌ−ＨＦＰ）、それらＢＴ電話機１０のうち、いずれを用いたハンズフリー通話を行う際であっても、それらＢＴ電話機１０に保存されている電話帳データを統合した統合電話帳データを利用することができる。従って、ユーザは、複数台のＢＴ電話機１０を所持して車両に搭乗する際、従来のように各電話帳データを切り替える操作を行うことなく、各電話帳データの全てを同時に利用することが可能となる。このように、本実施形態によれば、ハンズフリー通話の対象とするＢＴ電話機１０に対応する電話帳データについての利便性を向上することができる。
【００４５】
なお、本発明は上記し且つ図面に記載した実施形態に限定されるものではなく、次のような変形または拡張が可能である。
デバイス接続画面（図４、図６および図８の（ａ）参照）において所定の電話機（ＢＴ電話機１０）が選択された時点で、トップ画面（図５、図７および図９の（ａ）参照）を表示可能にするとともに［電話帳］ボタン４４を有効化してもよい。このようにすれば、ユーザは、所定の電話機が選択されてから実際に接続されるまでの間、または、接続された後に何らかの原因により接続が断たれたときなどにも上記所定の電話機に対応する電話帳データを利用することができるため、電話帳機能の利便性が一層向上する。
車載機１が、車載電話機としての機能を備えたデータ通信モジュール（ＤＣＭ）が搭載されたものである場合、接続されるＢＴ電話機１０に保存されている電話帳データを転送する際、その電話帳データと上記車載電話機の電話帳データとを統合してもよい。
【００４６】
Ｄｕａｌ−ＨＦＰにおける電話帳機能の説明では、２台のＢＴ電話機１０との間でＨＦＰが接続される場合を例に説明したが、３台以上のＢＴ電話機１０との間でＨＦＰが接続される場合についても同様である。
同一のＢＴ電話機１０に保存された電話帳データがハンズフリー装置２に転送される際、毎回全てのデータを取得するような構成でもよいし、更新されたデータだけを取得するような構成でもよい。
【００４７】
Ｄｕａｌ−ＨＦＰの際に統合して管理するデータとしては電話帳データに限らず、発信履歴データ、着信履歴データ、不在着信履歴データなどでもよい。すなわち、Ｄｕａｌ−ＨＦＰとして複数台のＢＴ電話機１０が接続される場合、それら複数台のＢＴ電話機１０のそれぞれに対応する電話帳データに加えて、または代えて、発信履歴データ、着信履歴データおよび不在着信履歴データのうち、少なくともいずれか１つを統合（マージ）するようにしてもよい。なお、各データをマージする方法としては、上記実施形態において説明した電話帳データをマージする方法と同様の方法を用いることができる。
【００４８】
車載機と外部の携帯電話機との間で通信を行う通信手段としては、ＢＴインターフェース部に限らずともよい。すなわち、車載機と外部の携帯電話機との間の接続は、Ｂｌｕｅｔｏｏｔｈに限らずともよく、他方式の近距離無線通信であってもよいし、あるいは、有線により接続する構成であってもよい。車載機側の通信手段を変更する場合、外部の携帯電話機側の通信手段についても、採用する車載機側の通信手段に対応するものに変更すればよい。また、その際、ハンズフリー通信、電話帳データの転送などを行うための通信プロトコルについても適宜変更すればよい。
【００４９】
車載機は、ナビゲーション装置と併せた構成でもよい。そのような構成によれば、ナビゲーション装置に搭載される一部の構成（例えば、ディスプレイ装置３、ＢＴインターフェース部５、記憶部７、表示制御部８、タッチ操作入力部９など）を共通利用することが可能になり、全体としての構成が削減される。これにより、全体としてのコストダウン、サイズダウンなどを図ることができる。また、ハンズフリー装置２は、車載機１とは独立した構成であってもよい。その場合、車両から取り外し可能な（可搬性のある）装置として構成されていてもよい。
【符号の説明】
【００５０】
図面中、２はハンズフリー装置、４は制御部（電話帳管理手段）、５はＢＴインターフェース部（通信手段）、１０はＢＴ対応携帯電話機（携帯電話機）、１８はハンズフリー手段、２２はＢＴ電話機用電話帳データ記憶領域（電話帳記憶手段）を示す。
【図１】
2013243532.tif 000003
【図２】
2013243532.tif 000004
【図３】
2013243532.tif 000005
【図４】
2013243532.tif 000006
【図５】
2013243532.tif 000007
【図６】
2013243532.tif 000008
【図７】
2013243532.tif 000009
【図８】
2013243532.tif 000010
【図９】
2013243532.tif 000011